(57)【要約】【課題】ふちなし画像形成を行っても、画像形成装置や記録媒体が汚れない画像記録装置を提供することを課題とする。【解決手段】搬送手段３によって搬送される記録媒体１に対してインクを吐出して記録を行う画像記録装置において、記録媒体１に記録されたインクを乾燥するインク乾燥手段７と、インク乾燥手段７によりインクが乾燥した記録媒体１を切断するカット手段５と、記録媒体１の画像が記録された部位をカット手段５で切断するようにカット位置を制御する制御手段とを備える。【選択図】図１
2009090672.tif 000002
【特許請求の範囲】
【請求項１】
搬送手段によって搬送される記録媒体に対してインクを吐出して記録を行う画像記録装置において、
前記記録媒体に記録されたインクを乾燥するインク乾燥手段と、
該インク乾燥手段によりインクが乾燥した記録媒体を切断するカット手段と、
前記記録媒体の画像が記録された部位を前記カット手段で切断するようにカット位置を制御する制御手段と、
を備えたことを特徴とする画像記録装置。
【発明の詳細な説明】
【技術分野】
【０００１】
本発明は、搬送手段によって搬送される記録媒体に対してインクを吐出して記録を行う画像記録装置に関する。
【背景技術】
【０００２】
図３０は、従来の画像記録装置の構成図である。図において、ロール状に巻回された記録媒体１０００は、搬送手段としてのローラ対１００３によって、矢印Ｉ方向（副走査方向）に挟持搬送されるようなっている。
ローラ対１００３の上流には、記録媒体１０００の幅方向に対してインクを吐出して記録を行う記録手段１０２０が設けられている。本従来例の記録手段１０２０は、インクを吐出する記録ヘッド１０２１と、記録ヘッド１０２１を記録媒体１０００の搬送方向に対して直交する方向（主走査方向、記録媒体１０００の幅方向：図において紙面に対して垂直な方向）に搬送するキャリッジ１００２とからなっている。
【０００３】
又、記録手段１０２０の下流には、記録媒体１０００上に噴射されたインクを乾燥させるインク乾燥手段１００７が設けられている。更に、記録媒体１０００の画像記録面と反対側に面側には、記録手段１０２０と対向し、記録媒体１０００を吸引して画像記録時の記録媒体１０００の浮き上がりを防止する吸引手段１００６が設けられている。
【０００４】
インク乾燥手段１００７の下流側には、記録媒体１０００を切断するカッタ１００５及び切断された記録媒体１０００を収納する排紙皿１００８が設けられている。
次に、上記構成の動作を説明する。キャリッジ１００２が記録媒体１０００の幅方向へ移動することにより、記録媒体１０００上には幅方向にライン状の画像が記録される。
【０００５】
ライン状の画像が記録されたならば、ローラ対１００３が駆動され、記録手段１０２０が所定量矢印Ｉ方向へ移動する。そして、また、キャリッジ１００２が記録媒体１０００の幅方向へ移動することにより、記録媒体１０００上に幅方向のライン状の画像が記録される。
【０００６】
これを繰返すことにより、記録媒体１０００上に１つの画像が記録される。１つの画像の記録が完了したならば、ローラ対１００３により、記録された画像の終端がカッタ１００５に対向する位置まで記録媒体１０００が矢印Ｉ方向に送り出される。
【０００７】
そして、カッタ１００５が画像の終端近傍を切断し、シート状の記録媒体１０００が排紙皿１００８上に載置される。記録媒体１０００の切断後、ローラ対１００３が、先程とは逆方向に回転し、記録媒体１０００の先端が記録手段１０２０に対向する位置まで引き戻され、次の画像記録が行われる。
【発明の概要】
【発明が解決しようとする課題】
【０００８】
しかし、上記構成の画像記録装置を用いて、ふちなし画像記録を行う場合、記録媒体１０００の幅方向の端よりはみ出して画像記録を行なう必要がある。
このため画像記録装置自体にインクが付着し、この付着したインクにより記録媒体１０００が汚れる問題点がある。本発明は、上記問題点に鑑みてなされたもので、その課題は、ふちなし画像形成を行っても、画像形成装置や記録媒体が汚れない画像記録装置を提供することにある。
【課題を解決するための手段】
【０００９】
上記課題を解決する請求項１記載の発明は、搬送手段によって搬送される記録媒体に対してインクを吐出して記録を行う画像記録装置において、前記記録媒体に記録されたインクを乾燥するインク乾燥手段と、該インク乾燥手段によりインクが乾燥した記録媒体を切断するカット手段と、前記記録媒体の画像が記録された部位を前記カット手段で切断するようにカット位置を御する制御手段と、を備えたことを特徴とする画像記録装置である。
【発明の効果】
【００１０】
前記記録媒体に記録されたインクを乾燥するインク乾燥手段と、該インク乾燥手段によりインクが乾燥した記録媒体を切断するカット手段とを設けたことにより、即ち、カット手段の前にインク乾燥手段を設けたことにより、ふちなし画像形成を行っても、画像形成
装置や記録媒体の切断部周辺を汚すことがない。
【図面の簡単な説明】
【００１１】
【図１】第１の実施の形態例の画像形成装置の全体構成を示す斜視図である。
【図２】図１の矢印ＩＩＩ正面から見た断面構成図である。
【図３】キャリッジ２０の斜視図である。
【図４】図３の矢印ＩＶ方向から見た図である。
【図５】図３の矢印Ｖ方向から見た図であるである。
【図６】吸引手段６の斜視図である。
【図７】図６の断面構成図である。
【図８】インク乾燥手段の断面構成図である。
【図９】カットマークの一例を説明する図である。
【図１０】カットマーク検知センサの構成図である。
【図１１】第１の実施の形態例の画像記録装置の電気的構成を説明するブロック図である。
【図１２】記録ヘッドに設けられたノズルの詳細を示す図である。
【図１３】送り量の方式を示す図である。
【図１４】送り量の方式を示す図である。
【図１５】第１の実施の形態例の変形例を説明する図である。
【図１６】第１の実施の形態例の変形例を説明する図である。
【図１７】第１の実施の形態例の変形例を説明する図である。
【図１８】第１の実施の形態例の変形例を説明する図である。
【図１９】第１の実施の形態例の変形例を説明する図である。
【図２０】第２の実施の形態例を説明する図である。
【図２１】第２の実施の形態例の変形例を説明する図である。
【図２２】第２の実施の形態例の変形例を説明する図である。
【図２３】第２の実施の形態例の変形例を説明する図である。
【図２４】第３の実施の形態例を説明する図である。
【図２５】第３の実施の形態例の変形例を説明する図である。
【図２６】第４の実施の形態例を説明する図である。
【図２７】図２６（ｂ）のＩＩＶ方向矢視図である。
【図２８】第５の実施の形態例を説明する図である。
【図２９】第５の実施の形態例を説明する図である。
【図３０】従来の画像記録装置の構成図である。
【発明を実施するための形態】
【００１２】
「第１の実施の形態例」
（機械的全体構成）
第１の実施の形態例の画像形成装置の全体構成を示す斜視図である図１、図１の矢印ＩＩＩ正面から見た断面構成図である図２を用いて、本実施の形態例の機械的全体構成を説明する。
【００１３】
図において、ロール状に巻回された記録媒体１は、搬送手段としてのローラ対３によって、矢印ＩＩ方向に挟持搬送されるようなっている。尚、ローラ対３は図示しない駆動手段（後述するローラ駆動モータ３１）によって、駆動される。
【００１４】
ローラ対３の下流には、記録媒体１の搬送方向（矢印ＩＩ方向）の略直交する方向（記録媒体１の幅方向）に対してインクを吐出して記録を行う記録手段２が設けられている。
記録手段２において、記録媒体１の幅方向に設けられたガイドバー２３には、記録媒体１に対してインクを吐出するキャリッジ２０が移動可能に係合している。
【００１５】
ガイドバー２３の両端部には、プーリ２５がそれぞれ配置され、プーリ２５間にはワイヤ２４が巻回されている。そして、ワイヤ２４とキャリッジ２０とは連結され、一方のプーリ２５は図示しない駆動手段（後述するキャリッジ駆動モータ２６）により回転駆動されるようになっている。
【００１６】
従って、プーリ２５が駆動されることにより、キャリッジ２０はガイドバー２３に沿って移動することとなる。尚、本実施の形態例では、ガイドバー２３は、キャリッジ２０が記録媒体１の搬送方向に対して略直交する方向の端よりはみ出してインクを吐出できるような長さに設定されている。
【００１７】
そして、記録手段２には、ガイドバー２３に沿って移動するキャリッジ２０の位置を検知するリニアエンコーダ（図示せず）９７が設けられている。又、記録手段２の下流には、記録媒体１上に噴射されたインクを乾燥させるインク乾燥手段７が設けられている。
【００１８】
更に、記録媒体１の画像記録面と反対側に面側には、記録手段２と対向し、記録媒体１を吸引して画像記録時の記録媒体１の浮き上がりを防止する吸引手段６が設けられている。
【００１９】
そして、吸引手段６の側部には、記録媒体１の両端よりはみ出して吐出されたインクを吸収するインク吸収手段２００としての吸収部材２０１が設けられている。吸収部材２０１としては、吸水性の良好なパルプ、繊維等をブロック状に成型したものがある。更に、このブロック状の成形物内に高分子吸収剤を含有させても良い。
【００２０】
記録手段２の下流には、カット手段５が設けられている。カット手段５は、記録媒体１の幅方向において記録媒体１を挟むように配置された一組のプーリ５２と、プーリ５２間に巻回されたワイヤ５１と、ワイヤ５１に設けられたカッター刃５０とからなっている。又、一組のプーリ５２のうちの一方のプーリ５２は図示しない駆動手段（後述するカッター駆動モータ５３）により駆動されるようになっている。
【００２１】
従って、プーリ５２が駆動されることにより、カッター刃５０は記録媒体１の幅方向に移動しながら記録媒体１を切断し、シート状の記録媒体１２とする。カット手段５の下流側には、切断されたシート状の記録媒体１２が積載される排紙皿８が設けられている。
【００２２】
更に、記録手段２と、カット手段５との間には、記録媒体１に記録されているカット位置指示手段としてのカットマークを検知するカットマーク検知センサ９９が設けられている。
【００２３】
（キャリッジ２０）
キャリッジ２０の斜視図である図３、図３の矢印ＩＶ方向から見た図である図４、図３の矢印Ｖ方向から見た図である図５を用いて、キャリッジ２０の詳細な説明を行う。
【００２４】
キャリッジ２０には、Ｙ（黄色）、Ｍ（マゼンタ）、Ｋ（ブラック：黒）、Ｃ（シアン）の各色のインクが貯留されるＹインクタンク２２１、Ｍインクタンク２２２、Ｃインクタンク２２３、Ｋインクタンク２２４及び、各インクタンク２２２〜２２４からのインクを吐出するＹ記録ヘッド２１１、Ｍ記録ヘッド２１２、Ｃ記録ヘッド２１３、Ｋ記録ヘッド２１４が設けられている。
【００２５】
各記録ヘッド２１１〜２１４にはインクが出射する複数のノズル２１１１、２１２１、２１３１、２１４１が設けられている。尚、本実施の形態例では、Ｙインクタンク２２１と、Ｙ記録ヘッド２１１とが、又、Ｍインクタンク２２２と、Ｍ記録ヘッド２１２とが、又、Ｃインクタンク２２３と、Ｃ記録ヘッド２１３とが、更に、Ｋインクタンク２２４と、Ｋ記録ヘッド２１４とが一体となったカートリッジ形式とした。
【００２６】
（吸引手段６）
吸引手段６の斜視図である図６及び図６の断面構成図である図７を用いて説明する。
吸引手段６は、記録媒体１と対向する面に、一定間隔で複数の吸引穴６１が形成された箱体６０と、箱体６０内に設けられた２つの記録媒体吸引ファン６２ａ、６２ｂとからなっている。
【００２７】
記録媒体吸引ファン６２ａ、６２ｂが駆動されることによって、箱体６０内が負圧となり吸引穴６１が設けられた面に記録媒体が吸着し、記録媒体１の浮き上がりが防止される。
【００２８】
（インク乾燥手段７）
インク乾燥手段７の断面構成図である図８を用いて説明する。インク乾燥手段７は、記録媒体１と対向する面に、複数の噴射穴７５が形成された箱体７０と、箱体７０内に設けられ、箱体７０外部の空気をた吸引するインク乾燥ファン７１と、インク乾燥ファン７１で吸引された空気を過熱するインク乾燥ヒータ７２とからなっている。
【００２９】
尚、本実施の形態例では、インク乾燥手段７から噴射される乾燥した空気によってキャリッジ２０の各記録ヘッド２１１〜２１４のノズル２１１１〜２１４１内のインクが乾燥してノズルつまりを起こすのを防止するために、噴射穴７５から噴射される空気流の方向をキャリッジ２０と反対側の方向になるように噴射穴７５の向きを設定している。
【００３０】
（カットマーク検知センサ９９）
カットマークの一例を説明する図９及びカットマーク検知センサ９９の構成図である図１０を用いて説明する。
【００３１】
図９に示すように、本実施の形態例では、記録手段２が記録媒体１に画像を記録すると、画像と画像との間にカットマーク１１を記録するようになっている。カットマーク検知センサ９９は、図１０に示すように、記録媒体１の画像記録面上に光を出射する発光ダイオード９９１と、記録媒体１上で反射した光を検地するフォトトランジスタ９９２とからなっっている。
【００３２】
（電気的構成及び動作）
本実施の形態例の画像記録装置の電気的構成を説明するブロック図である図１１を用いて説明する。
【００３３】
図において、１００は本実施の形態例の画像記録装置で記録する画像のデータ（画像の記録サイズ等のパラメータ、ＹＭＣＫに色分解された画像データ）を保存しているホストコンピュータである。ホストコンピュータ１００から送出される画像データはインターフェース部９１を介して本実施の形態例の画像記録装置に取り込まれる。
【００３４】
９２は取り込んだ画像データを一時格納する画像メモリ部、９３は多値画像階調を表現するための誤差拡散処理部、９４は画像メモリ上の画像データの並びと画像記録時の出力順序を変換するデータ並び替え処理部、９５は各記録ヘッド２１１〜２１４を駆動する記録ヘッドドライバである。
【００３５】
９８はリニアエンコーダ９７からの信号を取り込み、インクの出射タイミングのパルス信号を生成し、画像メモリ９２、誤差拡散処理部９３、データ並び替え処理部９４、記録ヘッドドライバ９５へ供給するインク出射タイミング生成部、９は各種制御を行うＣＰＵ等からなる制御部である。
【００３６】
（動作）
図１１を参照して、動作を説明する。
（１）制御部９は、ホストコンピュータ１００からの画像データ転送に先立ち、カットマーク１１を記録するための所定データを画像メモリ９２に書き込む。
（２）ホストコンピュータ１００より記録すべき１つめの画像に関する、記録サイズ等の画像パラメータが転送される。
【００３７】
画像パラメータはインターフェース部９１を介し、制御部９に転送される。
（３）画像パラメータに続き、ホストコンピュータ１００より１つめの画像データが転送開始される。画像データはインターフェース部９１を介し、画像メモリ９２に転送される。
【００３８】
画像メモリ９２に所定量（一走査分）のデータが格納されると、制御部９は以下に説明する一連の動作を開始する。
（４）制御部９は、モータドライバ６３を作動し、吸引手段６の記録媒体吸引ファン６２ａ、６２ｂを駆動する。
（５）制御部９は、モータドライバ７３を作動し、インク乾燥ファン７１を駆動するとともに、インク乾燥ヒータ７２を作動させる。
（６）制御部９は、モータドライバ３２を作動し、ローラ駆動モータ３１を駆動してローラ対３を回転させて、記録媒体１を所定の記録開始位置まで搬送する。
【００３９】
本実施の形態例では、ふちなし画像形成を行うので、記録媒体１の搬送方向の端（前端）をはみ出して画像形成できる位置である。
（７）制御部９は、モータドライバ２７を作動し、キャリッジ駆動モータ２６を駆 動する。キャリッジ駆動モータ２６は、プーリ２５、ワイヤ２４を介し、記録ヘッド２１を搭載したキャリッジ２０をガイドバー２３に沿って、記録媒体１の搬送方向に対し略直交する方向に移動させる。
【００４０】
キャリッジ２０の移動に伴い、キャリッジ２０の移動方向に沿って設けられたリニアエンコーダ９７は、キャリッジ２０が所定量移動するごとにパルス信号を発生し、このパルス信号はインク射出タイミング生成部９８に入力される。インク射出タイミング生成部９８は、パルス信号を元にタイミング信号を生成し、画像メモリ９２、誤差拡散処理部９３、データ並び替え処理部９４、記録ヘッドドライバ９５に供給する。
【００４１】
これにより、画像メモリ９２から記録すべき画像のデータが順次読み出され、誤差拡散処理部９３、データ並び替え処理部９４を経て記録ヘッドドライバ９５に入力され、画像データに応じた信号がキャリッジ２０の移動と同期して記録ヘッド２１に供給され、記録ヘッド２１に設けられたノズル２１１１〜２１４１からＹ、Ｍ、Ｃ、Ｋのインクが記録媒体１に向けて射出され、記録媒体１上に画像が形成される。
【００４２】
この時、記録媒体１の搬送方向と略直交する方向の端よりはみ出す位置まで画像形成を行う。
（８）キャリッジ２０が記録画像のサイズに応じた所定量移動すると、制御部９はキャリッジ駆動モータ２６を停止し、キャリッジ２０を停止する。インクの射出も停止する。
（９）制御部９は、モータドライバ３２を作動し、ローラ駆動モータ３１を駆動してローラ対３を回転させて、記録媒体１を後述の所定量だけ搬送する。
（１０）記録媒体１の所定量の搬送が終了すると、制御部９は、モータドライバ２７を作動し、キャリッジ駆動モータ２６を前回と逆方向に回転し、キャリッジ２０を前回と逆方向に移動する。以下、前回と同様に、キャリッジ２０の移動に同期して記録ヘッドよりインクが射出され、記録媒体１上に画像が形成される。
【００４３】
以下、（８）（９）（１０）を繰り返す。
（１１）一方で、ホストコンピュータからは、画像データの転送が並行して行われ、インターフェース部９１を介して画像メモリ９２に順次格納されていく。画像メモリ内の既に画像記録された画像データが格納されているエリアは、空き領域として、新しい画像データが上書きされ、前のデータは消失する。
【００４４】
万一、ホストコンピュータ１００からの画像データ転送が間に合わず、画像メモリ９２に転送・格納された未記録画像データが所定量以下になってしまった場合は、制御部９はこれを検知して、格納データが所定量以上となるまで、キャリッジ２０の移動を開始しない。
【００４５】
逆に、ホストコンピュータ１００からの画像データ転送が速く、画像メモリに空き領域がなくなってしまうか、所定量以下になった場合は、画像の記録が進み、所定量以上の空き領域ができるまで、ホストコンピュータ１００からの画像データ転送を一時停止する。
（１２）ホストコンピュータ１００から１つめの画像データが全て転送されると、制御部９は画像メモリ９２上の１つめの画像データの末尾に続けて、図９に示すようなカットマーク１１を記録するための所定データを書き込む。
（１３）制御部９は、カットマーク１１が記録されたならば、モータドライバ３２を作動し、第１のローラ駆動モータ３１を駆動してローラ対３を回転し、１つ目の画像データが記録された記録媒体１をカット手段５方向へ搬送する。
（１４）制御部９は、ローラ対３を回転中に、カットマーク検知センサ９９によりカットマーク１１を検出すると、カットマーク１１が切断位置に来るように、ローラ対３の回転を停止する。
（１５）制御部９は、モータドライバ５４を作動し、カッター駆動モータ５３を駆動してプーリ５２を回転し、ワイヤ５１を介してカッター刃５０を記録媒体１の搬送方向と垂直の方向に移動し、記録媒体１を切断する。
【００４６】
制御部９は、カッター刃５０を記録媒体１の幅に応じた所定量移動した後、カッター駆動モータ５３を停止する。本実施の形態例では、図９に示すように、カットマーク１１の前後２カ所で記録媒体１を切断する。
（１６）切断された記録媒体１２は、排紙皿８の積載される。
【００４７】
ここで、記録ヘッド２１に設けられたノズル２１１１〜２１４１の詳細を示す図１２及び送り量の方式を示す図１３、図１４を用いて、（９）で述べた記録媒体１の１回の搬送量について説明する。
【００４８】
図１２では、ノズル２１１１〜２１４１がピッチｐでＮ個並んでいる様子を示している。図５では、このようなノズル２１１１〜２１４１を持った記録ヘッド２１１〜２１４がＹ、Ｍ、Ｃ、Ｋの計４ケキャリッジ２０に搭載されている。
【００４９】
図１３、図１４は、図１２に示すようなノズル２１１１〜２１４１で画像を記録する様子を示したもので、ノズル数Ｎ＝７で、ライン記録密度をノズルピッチｐの１／４とした場合を示している。
【００５０】
図１３は、通常の記録方式で、画素ピッチずつ記録媒体１を搬送して同一のノズルで隣接する画素を記録し、ノズルとノズルの間の画素をすべて記録したら、ノズル全長Ｌ分だけ記録媒体を搬送する方式である。
【００５１】
図１４はマイクロウイープと呼ばれる記録方式で、主走査１回当たりの記録媒体搬送量（副走査量）が一定となる方式である。隣接する２ラインを異なるノズルで記録するのが特徴で、ノズルごとにインク射出量や射出角度にばらつきがあるときは、通常の記録方式よりも、画像ムラが目立たないという特徴がある。
【００５２】
上記構成によれば、記録媒体１の搬送方向と略直交する方向の端よりはみ出して吐出されたインクは、吸収手段６によって吸収されるので、ふちなし画像形成を行っても、画像形成装置や記録媒体１が汚れない。
【００５３】
尚、インク吸収手段２００は、上記実施の形態例に限定するものではない。以下のような構成であってもよい。
（１）図１５はインク吸収手段２００として円板状の吸収部材２０２を設けた例である。（ａ）図は正面図、（ｂ）図は側面図である。そして、吸収部材２０２を回転駆動する駆動手段２０３で、定期的にこの円板状の吸収部材２０２を回転させる。
【００５４】
このような構成とすることで、インクを吸収する性能を長期間にわたって維持できる。
（２）更に、図１６に示すような構成を用い、吸収部材２０２の交換頻度を長くすることも可能である。図において中央に固着されたギア１２１０を介して逆ねじとなる第１及び第２のねじ部１２１１ａ、１２１１ｂが刻設されたねじ棒１２１１の両端部には、円環状の吸収部材２０２が複数遊嵌している。
【００５５】
ねじ棒１２１１の第１及び第２のねじ部１２１１ａ、１２１１ｂには、ナット１２３１、１２３２が螺合し、更に、これらナット１２３１、１２３２はねじ棒に遊嵌するプレート１２４１、１２４２に固着されている。
【００５６】
更に、プレート１２４１、１２４２はガイドバー１２５１に係合し、回転が禁止されている。一方、ギア１２１０には、モータ１２６０の出力軸に固着されたピニオン１２６１が噛合している。
【００５７】
モータ１２６０を駆動することにより、ねじ棒１２１１が回転し、回り止めがなされたプレート１２４１、１２４２は互いに反対側の方向、例えば、矢印Ａ方向に移動する。
よって、モータ１２６０を定期的に駆動することにより、吸収したインクが飽和状態となった吸収部材２０２を落下させ、インク未吸収の吸収部材２０２を新たに用いることが可能となる。
（３）又、図１７に示すような構成を用いても、吸収部材の交換頻度を長くすることができる。図において、ねじ棒１３１１は、軸支持部１３１２によって回転できないように支持され、略中央を介して逆ねじとなる第１及び第２のねじ部１３１１ａ、１３１１ｂが刻設されている。
【００５８】
これら第１及び第２のねじ部１３１１ａ、１３１１ｂには、外周面に歯が刻設されたギヤプレート１３３１、１３３２が螺合している。これらギアプレート１３３１、１３３２の外側のねじ棒１３１１には、円筒状の吸収部材１３３５が遊嵌している。
【００５９】
一方、ギヤプレート１３３１、１３３２の外周面の歯には、モータ１３５１によって回転駆動されるピニオン１３５２に噛合している。モータ１３５１を回転させることにより、ギヤプレート１３３１、１３３２は互いに反対側の方向、例えば、矢印Ｂ方向へ移動する。
【００６０】
よって、モータ１３５１を定期的に駆動することにより、吸収部材１３３５のインク未吸収部分をインク吐出位置に位置させることができる。
（４）更には、図１８に示すような構成を用いても、吸収部材の交換頻度を長くすることができる。図において、２５０は吸水性のよいテープ状の吸収部材２５１が巻回された元巻きリール、２５２は元巻きリールから繰り出された吸収部材２５１を巻き取る巻き取りリールである。
【００６１】
そして、元巻きリール２５０から繰り出された吸収部材２５１は、ターンローラ２５４を用いて、キャリッジ２０近傍に案内され、巻き取りリール２５２に巻き取られるようになっている。
【００６２】
よって、巻き取りリール２５２１を定期的に駆動することにより、吸収部材２５１のインク未吸収部分をインク吐出位置に位置させることができる。
（５）又、上記実施の形態例では、ロール状の記録媒体にインクを吐出して画像記録を行なう画像記録装置で説明を行ったが、図１９に示すようなシート状の記録媒体にインクを吐出して画像記録を行なう画像記録装置でも本発明は、適用できる。尚、図１９において、（ａ）図は平面図、（ｂ）図は正面図であり、図１と同一部分には、同一符号を付し、重複した説明は省略する。
【００６３】
図において、スタッカ２０００には、シート状の記録媒体２００１が積層されている。積層された記録媒体１の上部には、送り出しローラ２００２が設けられ、積層された記録媒体１は下部に設けられたスプリング２００３によって、送り出しローラ２００２に押接せしめられている。
【００６４】
又、キャリッジ２０とインク乾燥手段７との間には第２のローラ対４０が、乾燥手段７と排紙皿８との間には、第３のローラ対４１が設けられている。キャリッジ２０は、記録媒体２００１の搬送方向（図においてＩ方向）、及び、記録媒体２００１の搬送方向と略直交する方向の端よりはみ出してインクを吐出する機能を有している。
【００６５】
そして、吸引手段６上には、記録媒体２００１の搬送方向、及び、記録媒体２００１の搬送方向と略直交する方向よりはみ出して吐出されたインクを吸収する吸収部材２４０が設けられている。
【００６６】
このような構成によれば、シート状の記録媒体にふちなし画像記録を行っても、画像形成装置や記録媒体が汚れない。
「第２の実施の形態例」
第２の実施の形態例を説明する図２０を用いて説明する。尚、第１の実施の形態例を示す図１と同一部分には、同一符号を付し、重複した説明は省略する。
【００６７】
図において、記録手段としてのキャリッジ２０は、第１の実施の形態例と同様に、記録媒体１の搬送方向（紙面に対して垂直方向）、及び、記録媒体１の搬送方向と略直交する方向の端よりはみ出してインクを吐出する機能を有している。
【００６８】
記録媒体１の両側部には、記録媒体１をはみ出して吐出されたインクを受けるインク受け２１０１が設けられている。そして、インク吸引２１０１の内部は、インク吸収フィルタ２１０２を介して吸引手段６の吸引ファン６ａによって吸引されるようになっている。
【００６９】
上記構成によれば、記録媒体１の搬送方向と略直交する方向の端よりはみ出したインクは、インク受け２１０１によって受けられるので、ふちなし画像形成を行っても、画像形成装置や記録媒体が汚れない。
【００７０】
また、本実施の形態例では、インク受け２１０１によって受けたインクを吸引手段６の吸引ファン６ａを用いて、吸引し、インク吸収フィルタ２１０２に吸収させることにより、省スペース化及びコストダウンが図れる。
【００７１】
尚、本発明は上記実施の形態例に限定するものではない。図２１に示すように、キャリッジ２０が記録媒体１よりはなれた位置で、ノズル目詰まり防止のためにインク吐出を行ない、フラッシングを行なう機能を有している場合、フラッシング時のインクを受けるインク受け２１０１′を設け、インク受け２１０１′の内部は、インク吸収フィルタ２１０２を介して吸引手段６の吸引ファン６ａによって吸引してもよい。
【００７２】
インク受け２０１′は、フラッシング時のインクも吸引するようにしたことにより、省スペース化及びコストダウンが図れる。また、図２２に示すように、ふちなし画像記録用にはみ出したインクを受けるインク受け手段と、フラッシング時のインク受け手段とを兼用したインク受け２１０１を設けてもよい。
【００７３】
フラッシング時のインクも受けるようにしたことにより、省スペース化およびコストダウンを図ることができる。更には、インク吸収フィルタを用いる代わりに、図２３に示すように、記録媒体１をはみ出して吐出されたインクを受けるインク受け２１０１、及び、フラッシング時のインクを受けるインク受け２１０１′で受けたインクをポンプ２１２１で負圧とされたタンク２１２０へ回収するようにしてもよい。
「第３の実施の形態例」
本実施の形態例を図２４を用いて説明する。図２４（ａ）において、ロール状に巻回された記録媒体３００１は、搬送手段としてのローラ対３００３によって、矢印Ｉ方向に挟持搬送されるようなっている。
【００７４】
ローラ対３００３の下流には、記録媒体３００１の搬送方向（矢印Ｉ方向）の略直交する方向（記録媒体３００１の幅方向）移動し、記録媒体３００１に対してインクを吐出して記録を行う記録手段３００２が設けられている。
【００７５】
尚、本実施の形態例の記録手段３００２は、記録媒体３００１の搬送方向（矢印Ｉ方向）に沿って複数本のインクを吐出するようになっている。ローラ対３００３と記録手段３００２との間には、記録媒体３００１を切断するカッタ３００５が設けられている。
【００７６】
記録手段３００２の下流には記録媒体３００１を挟持搬送する第２ローラ対３００６が設けられている。そして、記録媒体３００１を介して記録手段３００２と反対側には、記録媒体３００１の前端よりはみ出したインクを受ける前端溝３０１１と、記録媒体３０００１の後端よりはみ出したインクを受ける後端溝３０１２とが設けられている。
【００７７】
次に、上記構成の動作を説明する。図示しない制御部は、第１のローラ対３００３を駆動して、記録媒体３００１を矢印Ｉ方向に搬送する。
記録媒体３００１の前端が（ａ）図に示すような位置、すなわち、記録媒体３００１の前端が前端溝３０１１と略一致する位置に至ると、第１のローラ対３００３の駆動を停止する。
【００７８】
次に、記録手段３００２を記録媒体３００１の搬送方向（矢印Ｉ方向）と略直交する方向（記録媒体３００１の幅方向）へ駆動し、記録媒体３００１に対してインクを吐出して記録を行う。
【００７９】
この時、記録手段３００２は、記録媒体３００１の搬送方向の前端をはみ出して画像形成を行なう。そして、マイクロウイーブ記録方式となるように、制御部は第１のローラ対３００３、記録手段３００２を駆動する。
【００８０】
第１のローラ対３００３が記録媒体３００１を所定量搬送すると、カッタ３００５を駆動して、記録媒体３００１を切断し、シート状の記録媒体３００１とし、これ以降は、第２のローラ対３００６を駆動してシート状の記録媒体３００１を搬送する。
【００８１】
最後に、記録媒体３００１の後端が（ｂ）図に示すような位置、すなわち、記録媒体３００１の後端が後端溝３０１２と略一致する位置に至ると、第２のローラ対３００６の駆動を停止する。
【００８２】
記録手段３００２は、記録媒体３００１の搬送方向の後端をはみ出して画像形成を行なう。上記構成によれば、記録手段３００２は、記録媒体３００１の搬送方向において前端及び後端の端よりはみ出してインクを吐出するので、シート状の記録媒体３００１上にもふちなし画像記録を行うことができる。
【００８３】
又、記録媒体３００１の前端よりはみ出したインクを受ける前端溝３０１１と、記録媒体３００１の後端よりはみ出したインクを受ける後端溝３０１２とを有することにより、記録媒体３００１の前端及び後端の端からはみ出たインクを回収でき、画像形成装置や記録媒体が汚れない。
【００８４】
尚、本発明は、上記実施の形態例に限定するものではない。上記実施の形態例では、記録媒体３００１の前端よりはみ出したインクを受ける前端溝３０１１と、記録媒体３００１の後端よりはみ出したインクを受ける後端溝３０１２とを設けたが、図２５に示すように、前端溝と後端溝とをあわせて同一の溝３０１３としてもよい。
「第４の実施の形態例」
本実施の形態例の構成図である図２６及び図２６（ｂ）のＶＩ方向矢視図である図２７を用いて説明する。尚、図２６（ａ）は側面構成図、図２６２６（ｂ）は上面構成図である。
【００８５】
図２６（ａ）（ｂ）において、ロール状に巻回された記録媒体４００１は、搬送手段としての第１のローラ対４００３によって、矢印Ｉ方向に挟持搬送されるようなっている。
第１のローラ対４００３の下流には、記録媒体４００１の搬送方向（矢印Ｉ方向）の略直交する方向（記録媒体４００１の幅方向）移動し、記録媒体４００１に対してインクを吐出して記録を行うキャリッジ（記録手段）４００２が設けられている。
【００８６】
尚、本実施の形態例のキャリッジ４００２は、記録媒体４００１の搬送方向（矢印Ｉ方向）に沿って複数本のインクを吐出するようになっている。第１のローラ対４００３とキャリッジ４００２との間には、記録媒体４００１を切断するカッタ４００４が設けられている。
【００８７】
キャリッジ４００２の下流には記録媒体４００１を挟持搬送する第２ローラ対４００６が設けられている。そして、記録媒体４００１を介してキャリッジ４００２と反対側には、記録媒体４００１の前端よりはみ出したインクを受ける前端溝部４０１１と、記録媒体４０００１の後端よりはみ出したインクを受ける後端溝部４０１２と、記録媒体４００１の搬送方向と略直行する方向の２つの側部よりはみ出したインクを受ける側端溝部４０１３、４０１４とからなるインク受け部４０１５が設けられている。
【００８８】
そして、キャリッジ４００２には、インク受け部４０１５のインクを清掃する清掃手段４１００が設けられている。本実施の形態例の清掃手段４１００は、キャリッジ４００２に設けられ、前端溝部４０１１を清掃する第１の清掃手段４１１０と、後端溝部４０１２を清掃する第２の清掃手段４１２０とからなっている。
【００８９】
第１の清掃手段４１１０は、キャリッジ４００２に設けられたベース４１１１と、ベース４１１１の下部に設けられ、前端溝部４０１１のインクの清掃を行なうローラ４１１２と、ローラ４１１２の一方の回転軸に接続され、ローラ４１１２を回転駆動する駆動源４１１３と、ローラ４１１２の一方の回転軸を回転可能に支持するアーム４１１４と、駆動源４１１３を支持するアーム４１１５とからなっている。
【００９０】
第２の清掃手段４１２０は、キャリッジ４００２に設けられたベース４１２１と、ベース４１２１の下部に設けられ、後端溝部４０１２のインクの清掃を行なうローラ４１２２と、ローラ４１２２の一方の回転軸に接続され、ローラ４１２１を回転駆動する駆動源４１２３と、ローラ４１２２の一方の回転軸を回転可能に支持するアーム４１２４と、駆動源４１２３を支持するアーム４１２５とからなっている。
【００９１】
次に、上記構成の動作を説明する。
（第１の記録モード）
図示しない制御部は、第１のローラ対４００３を駆動して、記録媒体４００１を矢印Ｉ方向に搬送する。
【００９２】
第３の実施の形態例と同様に、記録媒体４００１の前端が前端溝部４０１１と略一致する位置に至ると、第１のローラ対３００３の駆動を停止する。次に、キャリッジ４００２を記録媒体４００１の搬送方向（矢印Ｉ方向）と略直交する方向（記録媒体４００１の幅方向）へ駆動し、記録媒体４００１に対してインクを吐出して記録を行う。
【００９３】
また、キャリッジ４００２は記録媒体４００１の搬送方向と略直行する方向の端よりはみ出してインクを吐出して記録を行う。この時、キャリッジ４００２は、記録媒体３００１の搬送方向の前端をはみ出して画像形成を行なう。
【００９４】
そして、マイクロウイーブ記録方式となるように、制御部は第１のローラ対４００３、キャリッジ４００２を駆動する。第１のローラ対４００３が記録媒体４００１を所定量搬送すると、カッタ４００５を駆動して、記録媒体４００１を切断し、シート状の記録媒体４００１とし、これ以降は、第２のローラ対４００６を駆動してシート状の記録媒体４００１を搬送する。
【００９５】
最後に、記録媒体４００１の後端が後端溝部４０１２と略一致する位置に至ると、第２のローラ対３００６の駆動を停止する。キャリッジ４００２は、記録媒体４００１の搬送方向の後端をはみ出して画像形成を行なう。
【００９６】
そして、本モードの場合は、インクがインク受け部４０１５に吐出されるので、制御部は、所定回数第１の記録モードを行ったら、すなわち、第１のモードに対応して、第１及び第２の清掃手段４１１０、４１２０の駆動源４１１３、４１２３を駆動して、ローラ４１１２、４１２２を回転させ、清掃能力を長期間にわたって維持するようにしている。
（第２の記録モード）
本モードと第１の記録モードとの相違点は、記録媒体４００１の端よりはみ出さずにインクを吐出して画像形成を行なう点である。
【００９７】
上記構成によれば、記録媒体４００１の端よりはみ出したインクを受けるインク受け部４０１５とを設けたことにより、画像形成装置や記録媒体４００１が汚れない。
更に、インク受け部４０１５のインクを清掃する第１及び第２の清掃手段４１１０、４１２０を設けたことにより、インク受け部４０１５のインクがあふれて画像形成装置や記録媒体を汚すこともなくなる。
【００９８】
第１及び第２の清掃手段４１１０、４１２０をインクを吐出する記録ヘッドが載置され、記録ヘッドを記録媒体４００１の搬送方向と交差する方向に搬送するキャリッジ４００２に設けたことにより、記録媒体４００１の搬送方向と交差する方向に設けられたインク受け部４０１５の前端溝部４０１１、後端溝部４０１２全域にわたって清掃することができる。
【００９９】
第１及び第２の清掃手段４１１０、４１２０は、回転可能なローラ（清掃部材）４１１２、４１２２を有し、駆動源４１１３、４１２３を用いてローラ４１１２、４１２２を回転させることにより、人手を介さずに長期間にわたって、清掃能力を維持できる。
【０１００】
制御部は、第１のモード時に対応して第１及び第２の清掃手段４１１０、４１２０を駆動させることにより、省エネルギーを図れる。
「第５の実施の形態例」
本実施の形態例の構成図である図２８及び図２９用いて説明する。尚、図２８（ａ）は側面構成図、図２８（ｂ）は上面構成図、図２９（ａ）は図２８のＤ−Ｄ断面図、図２９（ｂ）は図２９（ａ）の右側面図である。
【０１０１】
本実施の形態例では、図２８に示すように、第４の実施の形態例と同様に、記録媒体４００１の前端よりはみ出したインクを受ける前端溝部４０１１と記録媒体４００１の後端よりはみ出したインクを受ける後端溝部４０１２を有し、キャリッジ４００２内に前端溝部４０１１を清掃する第１の清掃手段４１１０と、後端溝部４０１２を清掃する第２の清掃手段４１２０が設けられている。
【０１０２】
キャリッジ４００２内には、Ｙ,Ｍ,Ｃ,Ｋのインクタンク４２０１,４２０２,４２０３,４２０４と、Ｙ,Ｍ,Ｃ,Ｋの記録ヘッド４３０１,４３０２,４３０４と、第１および第２の清掃手段４１１０,４１２０とが一体となったカートリッジ４０１０が設けられている。
【０１０３】
第１および第２の清掃手段４１１０，４１２０は、同一構造であるので、図２９（ａ）を用いて、第２の清掃手段４１２０の構成を説明する。インク吸収性のよいテープ状の吸収部材４４００が巻回された元巻きリール４４０１、元巻きリール４４０１から繰り出された吸収部材４４００を後端溝部４０１２上に案内するガイドローラ４４０３、元巻きリール４４０１から繰り出された吸収部材４４００を巻き取る巻き取りリール４４０５を有するスライダ４４０７と、このスライダ４４０７を上下方向に案内するガイド４４０８と、スライダ４４０７のガイドローラ４４０３が後端溝部４０１２に当接する方向にスライダ４４０７を付勢する付勢部材４４０９とからなっている。
【０１０４】
そして、図２９（ｂ）に示すように、カートリッジ４０１０内の第１の清掃手段４１１０と第２の清掃手段４１２０との間には、第１および第２の清掃手段４１１０,４１２０内の元巻きリール４４０１を駆動するモータ４４１０が設けられている。
【０１０５】
次に、上記構成の動作を説明する。図示しない制御部は、第１のローラ対４００３を駆動して、記録媒体４００１を矢印Ｉ方向に搬送する。
第３の実施の形態例と同様に、記録媒体４００１の前端が前端溝部４０１１と略一致する位置に至ると、第１のローラ対３００３の駆動を停止する。次に、キャリッジ４００２を記録媒体４００１の搬送方向（矢印Ｉ方向）と略直交する方向（記録媒体４００１の幅方向）へ駆動し、記録媒体４００１に対してインクを吐出して記録を行う。
【０１０６】
また、キャリッジ４００２は記録媒体４００１の搬送方向と略直行する方向の端よりはみ出してインクを吐出して記録を行う。この時、キャリッジ４００２は、記録媒体３００１の搬送方向の前端をはみ出して画像形成を行なう。
【０１０７】
そして、マイクロウイーブ記録方式となるように、制御部は第１のローラ対４００３、キャリッジ４００２を駆動する。第１のローラ対４００３が記録媒体４００１を所定量搬送すると、カッタ４００５を駆動して、記録媒体４００１を切断し、シート状の記録媒体４００１とし、これ以降は、第２のローラ対４００６を駆動してシート状の記録媒体４００１を搬送する。
【０１０８】
最後に、記録媒体４００１の後端が後端溝部４０１２と略一致する位置に至ると、第２のローラ対３００６の駆動を停止する。キャリッジ４００２は、記録媒体４００１の搬送方向の後端をはみ出して画像形成を行なう。
【０１０９】
所定回数の記録を行なう毎に、モータ４４１０を駆動し、インク吸収部材４４００を巻き取ることにより、記録媒体４００１の搬送方向と交差する方向に設けられたインク受け部４０１５の前端溝部４０１１、後端溝部４０１２のインクを長期にわたり確実にふき取ることができる。
【０１１０】
また、Ｙ,Ｍ,Ｃ,Ｋのインクタンク４２０１,４２０２,４２０３,４２０４と、Ｙ,Ｍ,Ｃ,Ｋの記録ヘッド４３０１,４３０２,４３０４と、第１および第２の清掃手段４１１０,４１２０とが一体となったカートリッジ４０１０を用いることで、カートリッジ４０１０の交換ごとに第１および第２の清掃手段４１１０,４１２０が新しくなるので、インク吸収部材４４００が全て巻き取りリール４４０５に巻き取られて清掃不良を起こすこともなくなる。
【符号の説明】
【０１１１】
１ 記録媒体
２ 記録手段
３ ローラ対（搬送手段）
２００ インク吸収手段
２０１ 吸収部材
【図１】
2009090672.tif 000003
【図２】
2009090672.tif 000004
【図３】
2009090672.tif 000005
【図４】
2009090672.tif 000006
【図５】
2009090672.tif 000007
【図６】
2009090672.tif 000008
【図７】
2009090672.tif 000009
【図８】
2009090672.tif 000010
【図９】
2009090672.tif 000011
【図１０】
2009090672.tif 000012
【図１１】
2009090672.tif 000013
【図１２】
2009090672.tif 000014
【図１３】
2009090672.tif 000015
【図１４】
2009090672.tif 000016
【図１５】
2009090672.tif 000017
【図１６】
2009090672.tif 000018
【図１７】
2009090672.tif 000019
【図１８】
2009090672.tif 000020
【図１９】
2009090672.tif 000021
【図２０】
2009090672.tif 000022
【図２１】
2009090672.tif 000023
【図２２】
2009090672.tif 000024
【図２３】
2009090672.tif 000025
【図２４】
2009090672.tif 000026
【図２５】
2009090672.tif 000027
【図２６】
2009090672.tif 000028
【図２７】
2009090672.tif 000029
【図２８】
2009090672.tif 000030
【図２９】
2009090672.tif 000031
【図３０】
2009090672.tif 000032